(57)【特許請求の範囲】
【請求項１】
骨材の表面に付着する表面水を取り除き、表乾状態にする骨材表乾処理装置であって、
略平面状の上面を有する処理台と、
吸水性を有する帯状の素材からなり、前記処理台の上面に沿って移動可能な吸水移動シートと、
略平面状の下面を有するとともに、少なくともその下面表層が柔軟性及び吸水性を有する素材からなり、かつ、前記下面が前記吸水移動シートと所定の間隔を隔てて対向するように前記処理台上方に設けられた吸水体とからなり、
前記吸水体は、スポンジやクッション材からなる板状基材と、該板状基材の上面に取り付けられる木製合板からなる固定板と、前記板状基材の下面を覆う吸水性布とからなることを特徴とする骨材表乾処理装置。
【請求項２】
前記吸水体の下面の前記骨材が導入される側の縁部には、前記吸水体と前記吸水移動シートとの間隔の奥にいくほど前記間隔が狭まるようにテーパー状又は曲面状の導入面が形成されていることを特徴とする請求項１に記載の骨材表乾処理装置。
【請求項３】
前記吸水体と前記吸水移動シートとの間隔を変更する間隔変更手段を備えることを特徴とする請求項１又は２に記載の骨材表乾処理装置。
【請求項４】
前記吸水移動シートの両端は、前記吸水体の両側に配置された一対のリールに巻かれており、一方のリールを回転させることで前記吸水移動シートを移動可能であることを特徴とする請求項１〜３の何れかに記載の骨材表乾処理装置。
【請求項５】
骨材の表面に付着する表面水を取り除き、表乾状態にする表乾処理方法であって、
請求項１に記載の骨材表乾処理装置を用い、
前記吸水移動シートに、湿潤状態の前記骨材を載置し、
前記吸水移動シートを移動させて、前記骨材を、前記吸水体と前記吸水移動シートとの間を通過させることを特徴とする骨材の表乾処理方法。
【発明の詳細な説明】
【技術分野】
【０００１】
本発明は、骨材の表乾状態を作製する装置及びそれを用いて骨材を表乾状態にする方法に係り、特にＪＩＳ規格に準拠する方法で表乾状態を作製するものに関する。
【背景技術】
【０００２】
通常、コンクリートを作製するための、水、セメント、粗骨材、細骨材の配合条件として、示方配合が用いられる。
【０００３】
示方配合とは、所定品質のコンクリートを得るための仕様書や設計図書に示される配合をいう。示方配合では、粗骨材は全て５ｍｍ以上、細骨材は全て５ｍｍ以下のものを使用することのほか、これら骨材は表乾状態のものを用いることとし、その場合の水の配合量が厳密に規定されている。表乾状態とは、骨材の表面に付着する表面水がなく、骨材内部の空隙が水分によって満たされている状態をいう。
【０００４】
ところが、現場で使用する骨材は、上記粒度とは異なる粒度の骨材が含まれていたり、含水状態も乾燥や湿潤などまちまちであるため、所定品質のコンクリートを得るためには配合を修正する必要がある。これを現場配合という。
【０００５】
特に、現場配合における水の配合量については、示方配合における水の配合量を補正するために、骨材の吸水率を測定する必要がある。日本工業規格の吸水率試験方法（ＪＩＳ  Ａ  １１１０）によれば、骨材試料を充分に吸水させた後、表乾状態にすることが規定されている。
【０００６】
このうち骨材を表乾状態にする作業を、吸水性の布の上で転がして目に見える水膜を拭い去る等の人力による手作業で行うと、手間がかかるうえ効率的でない。そのため、従来より骨材を表乾状態にする装置が提案されている。
【０００７】
そこで、例えば、特許文献１には、骨材表面に付着する表面水を、遠心分離機を用いることにより分離させたり、骨材表面に送風機から風を当てることにより除去したりする装置が開示されている。
【特許文献１】特開２００１−２８９７６６号公報
【発明の開示】
【発明が解決しようとする課題】
【０００８】
しかしながら、特許文献１に開示される装置による骨材を表乾状態にする方法は、骨材の表面水を吸水性の布で拭き取る方法とは異なり、日本工業規格の吸水率試験方法（ＪＩＳ  Ａ  １１１０）に準拠しているとはいえず、厳密性に欠ける。
【０００９】
本発明は、上記の点に鑑みてなされたものであり、簡易な構成であり、かつＪＩＳ規格に準拠した方法で、骨材を表乾状態とすることが可能な骨材表乾処理装置及びそれを用いた骨材の表乾処理方法を提供することを目的とする。
【課題を解決するための手段】
【００１０】
上記の目的を達成するために、本発明は、骨材の表面に付着する表面水を取り除き、表乾状態にする骨材表乾処理装置であって、略平面状の上面を有する処理台と、吸水性を有する帯状の素材からなり、前記処理台の上面に沿って移動可能な吸水移動シートと、略平面状の下面を有するとともに、少なくともその下面表層が柔軟性及び吸水性を有する素材からなり、かつ、前記下面が前記吸水移動シートと所定の間隔を隔てて対向するように前記処理台上方に設けられた吸水体とからなり、前記吸水体は、スポンジやクッション材からなる板状基材と、該板状基材の上面に取り付けられる木製合板からなる固定板と、前記板状基材の下面を覆う吸水性布とからなることを特徴とする（第１の発明）。
【００１１】
本発明による骨材表乾処理装置によれば、骨材を吸水移動シート上に載置して、吸水移動シートを移動させることにより、骨材が、吸水移動シートと吸水体との間に導入され、当該間を通過するあいだに吸水移動シート及び吸水体と転がりながら接触し、その表面に付着する表面水が吸水される。したがって、一度に大量の骨材を、簡単にかつＪＩＳ規格に則った方法で表乾状態にすることができ、これにより作業の効率化を図ることができる。
また、吸水体は、スポンジやクッション材からなる板状基材と、板状基材の上面に取り付けられる木製合板からなる固定板と、板状基材の下面を覆う吸水性布とから構成されているので、骨材が吸水移動シートと吸水体との間に導入された際に、骨材の表面の表面水が吸水性布で吸水されるとともに、スポンジやクッション材からなる板状基材が骨材の形状に追従して弾性変形することにより、骨材が圧潰されるのを防止できる。
【００１２】
第２の発明は、第１の発明において、前記吸水体の下面の前記骨材が導入される側の縁部には、前記吸水体と前記吸水移動シートとの間隔の奥にいくほど前記間隔が狭まるようにテーパー状又は曲面状の導入面が形成されていることを特徴とする。  
本発明による骨材表乾処理装置によれば、骨材を、吸水体と吸水移動シートとの間に円滑かつ確実に導入することができ、作業効率の向上を図ることができる。
【００１３】
第３の発明は、第１又は２の発明において、前記吸水体と前記吸水移動シートとの間隔を変更する間隔変更手段を備えることを特徴とする。  
本発明による骨材表乾処理装置によれば、様々な種類の粒径の骨材を表乾状態にすることができる。
【００１４】
第４の発明は、第１〜３の何れかの発明において前記吸水移動シートの両端は、前記吸水体の両側に配置された一対のリールに巻かれており、一方のリールを回転させることで前記吸水移動シートを移動可能であることを特徴とする。  
本発明による骨材表乾処理装置によれば、簡易かつ省スペースで、吸水移動シートを移動することができる。
【００１５】
第５の発明は、骨材の表面に付着する表面水を取り除き、表乾状態にする表乾処理方法であって、請求項１に記載の骨材表乾処理装置を用い、前記吸水移動シートに、湿潤状態の前記骨材を載置し、前記吸水移動シートを移動させて、前記骨材を、前記吸水体と前記吸水移動シートとの間を通過させることを特徴とする。
【発明の効果】
【００１６】
本発明によれば、簡易な構成であり、かつＪＩＳ規格に準拠した方法で、骨材を表乾状態とすることが可能な骨材表乾処理装置及びそれを用いた骨材の表乾処理方法を提供できる。
【発明を実施するための最良の形態】
【００１７】
以下、本発明の好ましい実施形態について図面に基づき詳細に説明する。  
本実施形態の骨材の表乾処理装置１０は、コンクリートの材料として使用される骨材を表乾状態にするための装置である。
【００１８】
図１は、本実施形態に係る骨材の表乾処理装置１０の概要図である。  
図１に示すように、表乾処理装置１０は、処理台１２と、吸水移動シート１４、吸水体１６とから構成される。
【００１９】
処理台１２は、略平面状の上面を備えており、その上面は、例えば表乾処理するための骨材を載置する領域Ａと、骨材を表乾処理する領域Ｂと、処理された骨材が排出される領域Ｃとが確保できるような充分な長さ及び幅を有する。
【００２０】
吸水移動シート１４は、吸水性を有する帯状の素材からなるものであり、処理台１２の上面に固定されることなく敷かれ、その両端は、例えば、同図中に示す処理台１２の左右側部に夫々設置されるリール１８によりロール状に巻かれている。そして、一方のリール１８で吸水移動シート１４を巻き取ると、他方のリール１８に巻かれた吸水移動シート１４が巻き出され、吸水移動シート１４が処理台１２上で移動するようになっている。また、吸水移動シート１４は、所定量の骨材を載置できる程度に充分な幅を有する。かかる吸水移動シート１４としては、例えばガーゼやタオル等の吸水性のある布を用いることができる。
【００２１】
吸水体１６は、下面１７に略平面を備えており、少なくともその表層は柔軟性及び吸水性を有する素材からなる。
【００２２】
吸水体１６は、処理台１２の上方に、吸水体１６の下面１７が吸水移動シート１４と所定の間隔を隔てて対向するように設けられている。  
この間隔は、骨材の粒径（例えば、φ５〜４０ｍｍ）よりも小さな大きさ（例えば３〜４ｍｍ程度）に設定されており、吸水移動シート１４上を運搬されるときに、吸水体１６と吸水移動シート１４との間を、吸水体１６の下面１７を変形させつつ骨材が回転しながら通過できるようになっている。
【００２３】
図２は、吸水体１６の拡大断面図である。
【００２４】
図２に示すように、吸水体１６は、骨材が導入又は排出される方向の両側下端のコーナー部に略曲面状あるいはテーパー面状の導入面２１が形成された板状の板状基材２０と、板状基材２０の上面に取り付けられた固定板２２と、板状基材２０の図中両側面及び下面を覆う吸水性布２４とを備えている。
【００２５】
固定板２２の各コーナー部には貫通孔２３が形成されるとともに、各貫通孔２３に対応する処理台１２の上面に固定孔１３が形成されており、固定具２６によって固定板２２と処理台１２とを、吸水体１６の下面１７と吸水移動シート１４との間に所定の間隔Ｘが確保されるよう固定できるようになっている。
【００２６】
また、固定板２２と固定具２６との固定位置は上下に変更できるようになっており、間隔Ｘを調節できるようになっている。例えば、同図に示すように、固定具２６として、貫通孔２３に挿通可能なボルト２７と、ボルト２７と螺合し、ボルト２７を挿通させた固定板２２を両側から挟むように固定するナット２８とを用いることにより、ナット２８を回転させることで固定位置を上下に変更して間隔Ｘを調節する。
【００２７】
なお、本実施形態では、板状基材２０として例えばスポンジやクッション材を、固定板２２として例えば木製合板を、吸水性布２４として例えば玄関マットを用いている。
【００２８】
次に表乾処理装置１０の使用方法について説明する。  
図３は、表乾処理装置１０の使用方法を説明するための説明図である。
【００２９】
先ず、図３（ａ）に示すように吸水体１６の片側（同図では左側）の吸水移動シート１４の上に湿潤状態の骨材３０を載せる。この際、吸水率試験方法（ＪＩＳ  Ａ  １１１０）に従って、一度に約２ｋｇの骨材３０を載せるものとし、また吸水移動シート１４上の局所に偏らないように、薄く均一に広げる。
【００３０】
そして、骨材３０を載せた側とは反対側（同図では右側）のリール１８により吸水移動シート１４を巻き取り、吸水移動シート１４を移動させることにより、吸水移動シート１４上に載置された骨材３０を、吸水体１６の下面１７と吸水移動シート１４との間に導入させる。ここでは、吸水体１６の下端のコーナー部に導入面２１が形成されているので骨材３０は円滑かつ確実に導入される。
【００３１】
さらにリール１８の巻き取りを継続することにより、吸水移動シート１４と吸水体１６の下面１７との間に導入された骨材３０は、吸水移動シート１４と下面１７とに接触しつつ、転がりながら吸水移動シート１４とともに移動していく（図３（ｂ）参照）。これにより、骨材３０の表面が満遍なく、かつ何度も吸水移動シート１４又は吸水体１６の下面１７と接触することになり、骨材表面に付着する表面水が吸水移動シート１４又は吸水体１６の下面１７に吸収される。
【００３２】
このようにして吸水移動シート１４と吸水体１６との間を移動した骨材３０は、吸水体１６の右端から表乾状態となって排出される（図３（ｃ）参照）。
【００３３】
なお、このように、骨材３０を吸水移動シート１４と吸水体１６との間を通過させる処理を一度行っても、骨材３０の表面が未だ濡れた状態であると視認される場合には、当該処理を繰り返し行うことにより、骨材３０を表乾状態にする。
【００３４】
以上、本実施形態に係る表乾処理装置１０によれば、処理台１２と、吸水移動シート１４と、吸水体１６とからなり、骨材３０を吸水移動シート１４上に載置して、吸水移動シート１４を移動させることにより、骨材３０が、吸水移動シート１４と吸水体１６との間に導入され、当該間を通過するあいだに、吸水移動シート１４及び吸水体１６と転がりながら接触し、その表面に付着する表面水が吸水される。したがって、一度に大量の骨材３０を、簡単にかつＪＩＳ規格に則った方法で表乾状態にすることができ、これにより作業の効率化を図ることができる。
【００３５】
また、本実施形態に係る表乾処理装置１０によれば、吸水体１６と吸水移動シート１４との間隔は、変更可能であることにより、様々な種類の粒径の骨材３０を表乾状態にすることができる。
【００３６】
また、本実施形態に係る表乾処理装置１０によれば、吸水移動シート１４の両端は、処理台１２から対向する側方に夫々設置されるリール１８によりロール状に巻かれていることにより、簡易かつ省スペースで、吸水移動シート１４を移動することができる。
【００３７】
なお、本実施形態に係る表乾処理装置１０では、処理台１２の上面を略平面としていたが、これに限らず、運搬される骨材３０が転がり落ちない程度の緩傾斜となっていてもよい。
【図面の簡単な説明】
【００３８】
【図１】本実施形態に係る骨材の表乾処理装置１０の概要図である。
【図２】吸水体１６の拡大断面図である。
【図３】表乾処理装置１０の使用方法を説明するための説明図である。
【符号の説明】
【００３９】
１０  表乾処理装置                １２  処理台
１４  吸水移動シート              １６  吸水体
１７  下面                        １８  リール
２０  板状基材                    ２１  導入面
２２  固定板                      ２４  吸水性布
２６  固定具                      ２７  ボルト
２８  ナット                      ３０  骨材
Ａ  表乾処理するための骨材を載置する領域
Ｂ  骨材を表乾処理する領域
Ｃ  処理された骨材が排出される領域
Ｘ  間隔
【図１】
0005063308.tif 000002
【図２】
0005063308.tif 000003
【図３】
0005063308.tif 000004